(57)【要約】【課題】サーバを使用することなく、安価でかつ高い信頼性を有するデータバックアップシステム、およびそのコンピュータを提供することを目的とする。【解決手段】ネットワークを介して、複数のコンピュータが相互に接続されて構築されるデータバックアップシステムにおいて、１のコンピュータは、データバックアップシステムを構成する各コンピュータに公開される共有データ領域と、第１のバックアップ領域とを有する第１の記憶手段と、前記共有データ領域のデータを前記第１のバックアップ領域にバックアップする第１のバックアップ手段と、を備え、他の複数のコンピュータは、第２のバックアップ領域を有する第２の記憶手段と、前記第１のバックアップ領域のデータを、前記第２のバックアップ領域にバックアップする第２のバックアップ手段と、を各々備えている。【選択図】        図１
2006106909.tif 000002
【特許請求の範囲】
【請求項１】
ネットワークを介して、複数のコンピュータが相互に接続されて構築されるデータバックアップシステムにおいて、
１のコンピュータは、
データバックアップシステムを構成する各コンピュータに公開される共有データ領域と、第１のバックアップ領域とを有する第１の記憶手段と、
前記共有データ領域のデータを前記第１のバックアップ領域にバックアップする第１のバックアップ手段と、
を備え、
他の複数のコンピュータは、
第２のバックアップ領域を有する第２の記憶手段と、
前記第１のバックアップ領域のデータを、前記第２のバックアップ領域にバックアップする第２のバックアップ手段と、
を各々備えたことを特徴とするデータバックアップシステム。
【請求項２】
前記第１のバックアップ手段は、前記共有データ領域内のデータの更新を常時監視し、更新を検知したときにバックアップを行うことを特徴とする請求項１に記載のデータバックアップシステム。
【請求項３】
前記第２のバックアップ手段は、前記第１のバックアップ領域内のデータの更新を常時監視し、更新を検知したときにバックアップを行うことを特徴とする請求項１または請求項２に記載のデータバックアップシステム。
【請求項４】
前記第１および第２のバックアップ手段は、バックグラウンドで前記バックアップを実行することを特徴とする請求項１〜請求項３のいずれか１つに記載のデータバックアップシステム。
【請求項５】
前記他の複数のコンピュータのうち障害が発生したコンピュータがある場合には、当該障害が発生した以外のコンピュータでバックアップ動作を行うことを特徴とする請求項１〜請求項４のいずれか１つに記載のデータバックアップシステム。
【請求項６】
前記１のコンピュータに障害が発生した場合は、前記他の複数のコンピュータのうちの１つが、前記第２のバックアップ領域を共有データ領域としてデータバックアップシステムを構成する各コンピュータに公開することを特徴とする請求項１〜請求項５のいずれか１つに記載のデータバックアップシステム。
【請求項７】
各コンピュータは、データバックアップシステムを構成するコンピュータの電源を一元的に管理可能に構成されていることを特徴とする請求項１〜請求項４のいずれか１つに記載のデータバックアップシステム。
【請求項８】
ネットワークを介して、複数のコンピュータが相互に接続されて構築されるデータバックアップシステムのコンピュータにおいて、
データバックアップシステムを構成する各コンピュータに公開する共有データ領域と、第１のバックアップ領域とを有する第１の記憶手段と、
前記共有データ領域のデータを前記第１のバックアップ領域にバックアップする第１のバックアップ手段と、
を備え、
前記第１のバックアップ領域のデータは、他のコンピュータによってバックアップされることを特徴とするコンピュータ。
【請求項９】
前記第１のバックアップ手段は、前記共有データ領域内のデータの更新を常時監視し、更新を検知したときにバックアップを行うことを特徴とする請求項８に記載のコンピュータ。
【請求項１０】
ネットワークを介して、複数のコンピュータが相互に接続されて構築されるデータバックアップシステムのコンピュータにおいて、
第２のバックアップ領域を有する第２の記憶手段と、
他のコンピュータによって公開された共有データ領域のデータを当該他のコンピュータによってバックアップされた第１のバックアップ領域のデータを、前記第２のバックアップ領域にバックアップする第２のバックアップ手段と、
を備えたことを特徴とするコンピュータ。
【請求項１１】
前記第２のバックアップ手段は、前記第１のバックアップ領域内のデータの更新を常時監視し、更新を検知したときにバックアップを行うことを特徴とする請求項１０に記載のコンピュータ。
【発明の詳細な説明】
【技術分野】
【０００１】
本発明は、データバックアップシステム、およびそのコンピュータに関し、詳細には、
低コストで信頼性の高いデータバックアップシステム、およびそのコンピュータに関する。
【背景技術】
【０００２】
ネットワークを介してクライアントのデータのバックアップを行うサーバ／クライアントシステムとしては、例えば、特許文献１〜２が公知である。サーバ／クライアントシステムを利用したデータバックアップシステムでは、サーバにバックアップデータが保存されて集中管理されるため利便性が高いという利点を有している。しかしながら、サーバ／クライアントシステムを利用した各種のデータバックアップシステムでは、以下の（１）〜（５）に示すような問題がある。図１１〜図１５は、サーバ／クライアントシステムを利用したデータバックアップシステムの従来技術を示す図である。
【０００３】
（１）図１１に示すように、各クライアントで生成されるデータをサーバのＤＩＳＫにバックアップするシステムでは、バックアップデータの信頼性は、サーバのＤＩＳＫの信頼性に依存するため、サーバのＤＩＳＫが故障した場合には、業務を継続することが困難になるという問題がある。
【０００４】
（２）図１２に示すように、サーバの障害の耐性を高めるために、バックアップサーバを導入して、ハードウエアを二重化するシステムでは、サーバのコストが高くなってしまうという問題がある。
【０００５】
（３）図１３に示すように、サーバにハードウエアＲＡＩＤを導入して複数のハードディスクにデータを書き込む冗長化により、ＤＩＳＫの１台が故障してもデータの紛失を防ぐシステムがあるが、冗長化を制御するための専用ハードウエアおよび複数のディスクを装備するため、サーバのコストが高くなってしまうという問題がある。
【０００６】
（４）図１４に示すように、サーバにテープ装置を設置してテープにデータをバックアップするシステムがあるが、バックアップ／リストア作業をサーバ管理者が行う必要があるため、管理者の負担が増えるという問題がある。また、バックアップ／リストア時間に対する要求に対応できないという問題がある。さらに、テープなどのメディア劣化・取扱不良によるデータ紛失の危険性がある。
【０００７】
（５）図１５に示すように、クライアントにリムーバルディスクを設置して、リムーバルディスクへデータのバックアップを行うシステムでは、各クライアントのリムーバル装置を設置する必要があり、定期的なバックアップ作業が実施されることが保証されず、バックアップ／リストア作業のミスの発生する可能性もあるため、確実にバックアップすることが保証できないという問題がある。また、効率的なバックアップ作業を行うことができないという問題がある。さらに、リムーバルディスクの導入コストが発生するため、コストの上昇の要因になるという問題がある。
【０００８】
【特許文献１】特開２００３−３４５６４０号公報
【特許文献２】特開２００１−２１６１８６号公報
【発明の開示】
【発明が解決しようとする課題】
【０００９】
このように、サーバを使用したデータバックアップシステムでは、一般に、コストが高くなっしまうという問題がある。
【００１０】
本発明は、上記課題に鑑みてなされたものであり、サーバを使用することなく、安価でかつ高い信頼性を有するデータバックアップシステム、およびそのコンピュータを提供することを目的とする。
【課題を解決するための手段】
【００１１】
上述した課題を解決し、目的を達成するために、本発明は、ネットワークを介して、複数のコンピュータが相互に接続されて構築されるデータバックアップシステムにおいて、
１のコンピュータは、データバックアップシステムを構成する各コンピュータに公開される共有データ領域と、第１のバックアップ領域とを有する第１の記憶手段と、前記共有データ領域のデータを前記第１のバックアップ領域にバックアップする第１のバックアップ手段と、を備え、他の複数のコンピュータは、第２のバックアップ領域を有する第２の記憶手段と、前記第１のバックアップ領域のデータを、前記第２のバックアップ領域にバックアップする第２のバックアップ手段と、を各々備えたことを特徴とする。これにより、サーバを使用しないで、安価なクライアントコンピュータのみでシステムを構成できるため、必要最小限のシステム構成から運用することが可能となり、柔軟にシステムの増強を図れるため利便性が高くなる。また、ユーザの負担をできるだけ軽減し、確実にデータのバックアップを行うことができるため、業務の可用性を向上させることができる。また、負荷（危険）を複数台のクライアントコンピュータに分散することができる。この結果、サーバを使用することなく、安価でかつ高い信頼性を有するデータバックアップシステムを提供することができる。
【００１２】
また、本発明の好ましい態様によれば、前記第１のバックアップ手段は、前記共有データ領域内のデータの更新を常時監視し、更新を検知したときにバックアップを行うことが望ましい。これにより、共有データ領域内のデータと第１のバックアップ領域内のバックアップデータとの整合性を常に保つことができる。
【００１３】
また、本発明の好ましい態様によれば、前記第２のバックアップ手段は、前記第１のバックアップ領域内のデータの更新を常時監視し、更新を検知したときにバックアップを行うことが望ましい。これにより、第１のバックアップ領域内のデータと第２のバックアップ領域のデータとの整合性を常に保つことができる。
【００１４】
また、本発明の好ましい態様によれば、前記第１および第２のバックアップ手段は、バックグラウンドで前記バックアップを実行することが望ましい。これにより、ユーザのバックアップ作業を行う負荷を軽減することができる。
【００１５】
また、本発明の好ましい態様によれば、前記他の複数のコンピュータのうち障害が発生したコンピュータがある場合には、当該障害が発生した以外のコンピュータでバックアップ動作を行うことが望ましい。これにより、故障コンピュータを切り離して修理作業を行っている期間においても、他のコンピュータにて業務を継続をすることができ、ユーザの負担をできるだけ軽減し、可用性を向上させたシステムを提供することができる。なお、ここで障害とは、コンピュータに故障が発生し、現に故障した場合はもちろん、当該コンピュータが保守作業中である場合において当該コンピュータのデータへアクセスできない場合を含むものである（以下、同様である）。
【００１６】
また、本発明の好ましい態様によれば、前記１のコンピュータに障害が発生した場合は、前記他の複数のコンピュータのうちの１つが、前記第２のバックアップ領域を共有データ領域としてデータバックアップシステムを構成する各コンピュータに公開することが望ましい。これにより、故障コンピュータを切り離して修理作業を行っている期間においても、他のコンピュータにて業務を継続をすることができ、ユーザの負担をできるだけ軽減し、可用性を向上させたシステムを提供することができる。
【００１７】
また、本発明の好ましい態様によれば、各コンピュータは、データバックアップシステムを構成するコンピュータの電源を一元的に管理可能に構成されていることが望ましい。
これにより、ネットワークを介して他のコンピュータの電源管理を行うことにより、データバックアップシステムを構成する複数のコンピュータの稼働状態に応じて、電源ＯＮ／ＯＦＦを一元的に管理することができ、低消費電力でデータバックアップシステムの効率性・信頼性を向上させることができる。
【００１８】
上述した課題を解決し、目的を達成するために、本発明は、ネットワークを介して、複数のコンピュータが相互に接続されて構築されるデータバックアップシステムのコンピュータにおいて、データバックアップシステムを構成する各コンピュータに公開する共有データ領域と、第１のバックアップ領域とを有する第１の記憶手段と、前記共有データ領域のデータを前記第１のバックアップ領域にバックアップする第１のバックアップ手段と、を備え、前記第１のバックアップ領域のデータは、他のコンピュータによってバックアップされることを特徴とする。
【００１９】
また、本発明の好ましい態様によれば、前記第１のバックアップ手段は、前記共有データ領域内のデータの更新を常時監視し、更新を検知したときにバックアップを行うことが望ましい。
【発明の効果】
【００２０】
本発明によれば、１つのコンピュータの共有データ領域のデータを、システムを構成する全コンピュータでバックアップしているので、サーバを使用することなく、安価でかつ高い信頼性を有するデータバックアップシステムおよびそのコンピュータを提供することができる。
【発明を実施するための最良の形態】
【００２１】
以下に、この発明にかかるデータバックアップシステム、およびそのコンピュータを適用した実施例を、図面を参照しつつ詳細に説明する。なお、この実施例によりこの発明が限定されるものではない。また、下記実施例における構成要素には、当業者が容易に想定できるものまたは実質的に同一のものが含まれる。
【実施例】
【００２２】
［データバックアップシステムの全体構成］
図１は、本発明の一実施例に係るデータバックアップシステム１の構成を示す図である。図１において、複数、例えば３台のコンピュータ２００Ａ、Ｂ、Ｃがネットワーク１００を介して相互に接続されている。各コンピュータ２００Ａ、Ｂ、Ｃには、その起動状態（モード）を識別するための表示を行う通常起動用ＬＥＤ２０６およびスタンバイ用ＬＥＤ２０７が設けられている。以下、コンピュータ２００Ａ、Ｂ、Ｃを特に区別する必要がない場合は、コンピュータ２００と表記する。ネットワーク１００は、例えばＬＡＮ（ローカルエリアネットワーク）で構成することができる。このネットワーク１００は、有線に限られるものではなく無線でもよい。
【００２３】
本実施例に係るデータバックアップシステム１の第１の特徴は、ネットワーク１００を介して接続した複数台のコンピュータ２００Ａ，Ｂ，Ｃで１つのシステムが構成され、１つのコンピュータ２００で公開される共通データ領域（例えば、共有フォルダ）を、各コンピュータ２００Ａ，Ｂ，Ｃのバックアップ領域（例えば、複製用フォルダ）にバックアップ処理（ミラーリング）して、各コンピュータ２００Ａ，Ｂ，Ｃで同一のデータを保持する点にある。このバックアップ処理は、アンダーグランドで行われる。
【００２４】
本実施例に係るデータバックアップシステム１の第２の特徴は、共有データ領域を公開しているコンピュータが故障した場合は、別のコンピュータのバックアップ領域を共通データとして公開することで、システムの運用を継続できる点にある。
【００２５】
本実施例に係るデータバックアップシステム１の第３の特徴は、低消費電力化および高効率性・高信頼性のために、各コンピュータ２００Ａ、Ｂ、Ｃが、データバックアップシステム１内のコンピュータ２００Ａ、Ｂ、Ｃの電源を一元的に管理している点である。
【００２６】
［コンピュータの構成］
図２は、コンピュータ２００の構成を示すブロック図である。コンピュータ２００は、例えば、ＰＣ（パーソナルコンピュータ）やＷＳ（ワークステーション）で構成することができる。コンピュータ２００は、図３に示すように、ネットワーク１００に接続するためのＬＡＮコントローラ２０１と、コンピュータの各部の動作を制御する制御部２０２と、電源装置２０８を制御する電源制御装置２０３と、キーボード、マウス、タブレット等からなる入力装置２０４と、ＬＣＤやＣＲＴからなる表示装置２０５と、通常起動状態にある場合に点灯する通常起動用ＬＥＤ２０６と、スタンバイ状態にある場合に点灯するスタンバイ用ＬＥＤ２０７と、コンピュータの各部に電源を供給する電源装置２０８と、ディスク装置３００とを備えている。
【００２７】
ＬＡＮコントローラ２０１は、ネットワーク１００に接続するＬＡＮカード等から構成されており、Ｗａｋｅ  ｕｐ  ＬＡＮ機能を有している。記憶手段であるディスク装置３００は、ＯＳ（例えば、Ｗｉｎｄｏｗｓ（登録商標）ＯＳ、Ｕｎｉｘ（登録商標）、Ｌｉｎｕｘ（登録商標）等）やアプリケーション等が格納される第１領域３０１と、コンピュータ２００のマシン固有の情報が格納される第２領域３０２と、バックアップ等に使用される第３領域３０３とを有している。なお、この領域の割り当ては一例であって、ディスク装置３００の領域の割り当ては特に限定されるものではない。また、ディスク装置３００は、内蔵タイプでも外付けタイプのいずれでも良い。
【００２８】
制御部２０２は、メインボードに搭載されており、プログラムやデータを記憶するＲＯＭ（Ｒｅａｄ Ｏｎｌｙ Ｍｅｍｏｌｙ）、一時的にデータを保管するＲＡＭ（Ｒａｎｄｏｍ Ａｃｃｅｓｓ Ｍｅｍｏｒｙ）、及びプログラムやデータを当該ＲＯＭやディスク装置３００から読み出して実行するＣＰＵ等で構成される。
【００２９】
制御部２０２は、例えば、プログラムを実行することにより、ディスク装置３００に対するデータの書き込み／読み込みの制御等を行うデータ管理部２２１として機能する。また、制御部２０２は、例えば、プログラムを実行することにより、コンピュータ内部の電源管理を行うとともに、データバックアップシステム１を構成するコンピュータ２００Ａ、Ｂ、Ｃの電源をネットワーク１００を介して一元管理する電源管理部２２２として機能する。
【００３０】
電源管理部２２２は、電源制御装置２０３を制御するとともに、電源制御装置２０３から入力される起動情報に基づいてコンピュータ２００の起動状態（通常起動状態、スタンバイ状態、電源ＯＦＦ状態）を遷移させる。電源管理部２２２は、データバックアップシステム１を構成する他のコンピュータ２００に特殊電源ＯＮ／ＯＦＦ信号を送出する。
【００３１】
また、電源管理部２２２は、使用者がコンピュータのＪＯＢ操作画面に設けられた電源ＯＦＦを実行するＪＯＢを選択指示した場合において、ソフトウエア処理により電源ＯＦＦコマンドを受け付けて、電源制御装置２０３に通知する。これに応じて、電源制御装置２０３は、電源ＳＷがＯＦＦされた場合と同様の処理を行う。
【００３２】
電源制御装置２０３は、電源用のボード等に搭載されており、例えば、ＣＰＵ、ファームウエアが記憶されたＲＯＭ、ＬＡＮコントローラ２０１等と通信を行うためのポート制御部等で構成することができる。電源制御装置２０３は、電源管理部２２２の指示に従って、電源装置２０８の制御、第１および第２スイッチ２０９、２１０のＯＮ／ＯＦＦ、および電源状態表示用ＬＥＤ２０の点灯を制御する。また、電源制御装置２０３は、使用者により押下される機械スイッチである電源ＳＷのＯＮ／ＯＦＦ、ネットワーク２００を介して入力される特殊電源ＯＮ／ＯＦＦ信号を検出する。
【００３３】
電源装置２０８は、商用電源に接続されており、ＡＣ−ＤＣ変換を行って、コンピュータ用のＤＣ電源を生成する。電源装置２０８は、電源制御部２０３の制御に従って、電源ライン２３１、２３２を介して、コンピュータ２００の各部に電源を供給する。電源ライン２３１は、常時電源が供給されるラインであり、電源ＳＷがＯＦＦの場合においても電源装置２０８が商用電源に接続されている限り給電が行われる。この電源ライン２３１には、ＬＡＮコントローラ２０１および電源制御装置２０３が接続されている。これにより、電源ＳＷがＯＦＦの場合でも、ネットワーク１００を介して他のコンピュータと通信することができる。電源ライン２３２は、電源制御装置２０３の制御に従って、給電が行われる。この電源ライン２３２には、制御部２０２、入力装置２０４、表示装置２０５、およびディスク装置３００が接続されている。入力装置２０４および表示装置２０５に接続される電源ライン２０３には、第１および第２スイッチ２０９、２１０が設けられている。
【００３４】
［バックアップ処理］
図３は、データバックアップシステム１のバックアップ処理を説明するための説明図である。まず、バックアップ処理を行う前提として、コンピュータ２００Ａ、Ｂ、Ｃのいずれか１つで、共有フォルダ（共有データ領域）を作成し、他のコンピュータ２００にも公開する。これにより、共有フォルダのデータを各コンピュータ２００から利用可能となりデータを一元管理することができる。以下では、コンピュータ２００Ａで共有フォルダを公開する場合について説明する。
【００３５】
図３において、共有フォルダ３１０Ａの公開元であるコンピュータ２００Ａは、共有フォルダ３１０Ａ内のデータの更新を監視し、共有フォルダ３１０Ａ内のデータの更新を検知した場合には、その更新データをコンピュータ２００Ａの複製用フォルダ（第１のバックアップ領域）３１１Ａにコピーする。コンピュータ２００Ｂ、Ｃは、コンピュータ２００Ａの複製用フォルダ３１１Ａのデータの更新を監視し、複製用フォルダ３１１Ａ内のデータの更新を検知した場合には、その更新データをコンピュータ２００Ｂ，Ｃの複製用フォルダ（第２のバックアップ領域）３１１Ｂ、Ｃにコピーする。共有フォルダ３１０Ａは共有、複製用フォルダ３１１Ａは隠し共有、複製用フォルダ３１１Ｂ，Ｃは非共有となっている。
【００３６】
ここで、公開元コンピュータに、共有フォルダとは別の複製用フォルダを作成しておき、他のコンピュータは複製用フォルダから複製を作成することにしているのは、共有フォルダのデータが複製処理により使用中となる時間を極力減らすようにしているためである。
より詳細には、他のコンピュータが共有フォルダから直接にネットワーク越しに複製を作成した場合、１つ１つのファイルをオープンしている時間が長くなり、共有フォルダのデータの利用に支障が生じる可能性があるためである。
【００３７】
図４は、データバックアップシステム１の各コンピュータ２００Ａ、Ｂ、Ｃのデータ管理部２２１のバックアップ処理を説明するためのフローチャートである。図４において、データ管理部２２１は、コピー元の中身が変更されるか、中断が指示されるまでウェイトする（Ａ１１）。ここで、共有フォルダの公開元のコンピュータ２００におけるコピー元は、共有フォルダであり、他のコンピュータのコピー元は、複製用フォルダである。上記図３に示す例では、コンピュータ２００Ａにおけるコピー元は、共有フォルダであり、コンピュータ２００Ｂ、Ｃのコピー元は複製用フォルダである。
【００３８】
データ管理部２２１は、ウェイトが解除されると、解除の要因がコピー元の中身の変更であるのか、または、中断であるのかを判断し（Ａ１２）、解除の要因が中断である場合にはバックアップ処理を終了する。他方、解除の要因がコピー元の中身の変更である場合には、コピー元に、更新、追加されたファイル・フォルダがあれば、コピー先にコピーする（Ａ１３）。
【００３９】
そして、データ管理部２２１は、コピー元にないファイル・フォルダがコピー先にあれば削除する（Ａ１４）。そして、データ管理部２２１は、終了要求があったか否かを判断し（Ａ１５）、終了要求があった場合には、バックアップ処理を終了し、終了要求がない場合には、ステップＡ１１に戻り、同一の処理を繰り返す。
【００４０】
［障害発生時のリカバー処理］
図５は、共有フォルダを公開しているコンピュータ２００に障害が発生した場合の処理を説明するための説明図である。共有フォルダを公開しているコンピュータ２００が故障した場合は、他のコンピュータ２００は、共有フォルダのバックアップデータを複製用フォルダに保存しているので、他のコンピュータ２００の１台で複製用フォルダを共有フォルダとして公開することで、業務を継続することができる。
【００４１】
図５において、共有フォルダ３１０Ａを公開しているコンピュータ２００Ａが故障した場合には、他のコンピュータ２００Ｂ、Ｃのいずれか一方で、複製用フォルダ３１１Ｂまたは３１１Ｃを共有フォルダとして公開し、コンピュータ２００Ｂ、Ｃの２台でバックアップ処理を行う。同図では、共有フォルダの公開元をコンピュータ２００Ｃに設定変更した場合を示している。この場合は、コンピュータ２００Ｃは、共有フォルダ３１１Ｃのバックアップを複製用フォルダ３１２Ｃに行い（Ａ６）、コンピュータ３００Ｂは、複製用フォルダ３１２Ｃのバックアップを複製用フォルダ３１１Ｂに行う（Ａ７）。なお、新たな共有フォルダを作成し、複製用フォルダ３１１Ｃのデータを当該新たな共有フォルダにコピーする構成としても良い。
【００４２】
他方、共有フォルダを公開していないコンピュータ２００が故障した場合は、当該コンピュータを切り離してバックアップ処理を行う。例えば、図３において、コンピュータ２００Ｃに障害が発生した場合には、コンピュータ２００Ｃを切り離して、コンピュータ２００Ａ、Ｂでバックアップ処理を継続する。
【００４３】
［コンピュータの電源状態の遷移］
図６は、コンピュータ２００の電源状態の遷移を示す図である。図６において、（１）通常起動状態（第１モード）は、使用者により電源ＳＷがＯＮされて、コンピュータ２００の各部に電源が供給されている状態で、コンピュータ２００が通常に起動している状態である。（２）スタンバイ状態（第２のモード）は、コンピュータ２００を起動した状態であるが、バックアップ動作を実行するための部位のみに電源が供給された省電力状態であり、バックアップ動作に必要のない部位、例えば、入力装置２０４および表示装置２０５等への電源の供給を切断した状態である。（３）電源ＯＦＦ状態（第３のモード）は、ネットワーク１００を介して通信を行うための部位のみに電源が供給された状態で、ＬＡＮコントローラ２０１および電源制御装置２０３以外への電源の供給が切断された状態である。
【００４４】
使用者により電源ＳＷがＯＮされると、電源制御装置２０３は、電源装置２０８に電源ライン２３２からの電源の供給を開始させる。これにより、制御部２０２に電源が供給され、電源管理部２２２が起動する。電源管理部２２２は、電源制御装置２０３から入力される起動情報（電源ＳＷのＯＮによる起動）に基づき、電源制御装置２０３を介して、第１および第２スイッチ２０９、２１０をＯＮさせる。これにより、コンピュータ２００の各部に電源が供給され、通常起動状態（１）となる。
【００４５】
また、使用者により電源ＳＷがＯＦＦされた場合または電源ＯＦＦコマンドを受け取った場合は、電源制御装置２０３は、電源装置２０８に電源ライン２３２からの電源の供給を停止させる。これにより、ＬＡＮコントローラ２０１および電源制御装置２０３以外への電源の供給が切断され、電源ＯＦＦ状態となる。
【００４６】
特殊電源ＯＮは、ネットワーク１００を介して、電源ＯＦＦ状態からスタンバイ状態にする機能である。コンピュータ２００が電源ＯＦＦ状態にある場合に、ネットワーク１００を介して、特殊電源ＯＮ信号が電源制御装置２０３に入力されると、電源制御装置２０３は、電源装置２０８に電源ライン２３２からの電源の供給を開始させる。これにより、制御部２０２に電源が供給され、電源管理部２２２が起動する。電源管理部２２２は、電源制御装置２０３から入力される起動情報（特殊電源ＯＮによる起動）に基づき、電源制御装置２０３を介して、第１および第２スイッチ２０９、２１０をＯＦＦさせる。これにより、スタンバイ状態となり、ＲＡＩＤ機能を実行するために（バックアップ動作のために）必要な部位（制御部２０２およびディスク装置３００等）に電源が供給され、ＲＡＩＤ機能を実行するために必要のない入力装置２０４および表示装置２０５等への電源の供給が遮断される。
【００４７】
特殊電源ＯＦＦは、ネットワーク１００を介して、スタンバイ状態から電源ＯＦＦ状態にする機能である。コンピュータ２００がスタンバイ状態にある場合に、ネットワーク１００を介して特殊電源ＯＦＦ信号が入力されると、電源管理部２２２は、電源制御装置２０３を介して、電源ライン２３２からの電源の供給を停止させる。これにより、電源ＯＦＦ状態となる。
【００４８】
［起動時の動作］
コンピュータ２００Ａ、Ｂ、Ｃが電源ＯＦＦ状態にある場合に、１台のコンピュータ２００のみの電源ＳＷをＯＮして、データバックアップシステムを起動させる場合について説明する。ここでは、コンピュータ２００Ａの電源ＳＷをＯＮさせた場合の動作を説明する。コンピュータ２００Ｂ、Ｃの電源ＳＷをＯＮさせた場合も同様な動作を行うのでここではその説明を省略する。
【００４９】
図７は、コンピュータ２００Ａ、Ｂ、Ｃが電源ＯＦＦ状態にある場合に、１台のコンピュータ２００のみの電源ＳＷをＯＮして、データバックアップシステムを起動させる動作を説明するためのフローチャート、図８は、コンピュータ２００Ａ、Ｂ、Ｃが電源ＯＦＦ状態にある場合に、１台のコンピュータ２００のみの電源ＳＷをＯＮして、データバックアップシステムを起動させる動作を説明するための説明図である。
【００５０】
図７において、コンピュータ２００Ａ、Ｂ、Ｃが電源ＯＦＦ状態にある場合に（Ｓ１）、コンピュータ２００Ａにおいて、使用者により電源ＳＷがＯＮされると（Ｓ２）、電源制御装置２０３は、電源装置２０８に電源ライン２３２からの電源の供給を開始させる（Ｓ３）。これにより、制御部２０２に電源が供給され、電源管理部２２２が起動する。電源管理部２２２は、電源制御装置２０３から入力される起動情報（電源ＳＷのＯＮによる起動）に基づいて起動条件を判定する（Ｓ４）。この場合は、電源ＳＷのＯＮによる起動であるので、電源管理部２２２は、電源制御装置２０３を介して、第１および第２スイッチ２０９Ａ、２１０ＡをＯＮさせて、入力装置２０４および表示装置２０５に電源を供給する（Ｓ５）。そして、電源管理部２２２は、特殊電源ＯＮ信号をコンピュータ２００Ｂ、Ｃに送信する（Ｓ６）。この後、データ管理部２２１を起動させる（Ｓ７）。電源管理部２２２は、電源制御装置２０３を介して通常起動用ＬＥＤ２０６を点灯させる（Ｓ８）。このようにして、通常起動状態となる（Ｓ９）。
【００５１】
他方、電源ＯＦＦ状態にあるコンピュータ２００Ｂ、Ｃでは（Ｓ１１）、電源管理装置２０３は、特殊電源ＯＮ信号を受信すると（Ｓ１２）、電源制御装置２０３は、電源装置２０８に電源ライン２３２からの電源の供給を開始させる（Ｓ１３）。これにより、制御部２０２に電源が供給され、電源管理部２２２が起動する。電源管理部２２２は、電源制御装置２０３から入力される起動情報（特殊電源ＯＮによる起動）に基づき起動条件を判定する（Ｓ１４）、この場合は、特殊電源ＯＮによる起動であるので、電源管理部２２２は、電源制御装置２０３を介して、第１および第２スイッチ２０９、２１０をＯＦＦさせて、入力装置２０４および表示装置２０５に電源を供給しない（Ｓ１５）。そして、データ管理部２２１を起動させる（Ｓ１６）。電源管理部２２２は、電源制御装置２０３を介してスタンバイ用ＬＥＤ２０７を点灯させる（Ｓ１７）。このようにして、コンピュータ２００Ｂ、Ｃはスタンバイ状態となる（Ｓ１８）。この後、ＲＡＩＤシステムを使用することができる。
【００５２】
この後、コンピュータ２００Ｂ、Ｃでは、電源ＳＷがＯＮされると（Ｓ２１）、電源制御装置２０３は、電源ＳＷのＯＮを電源管理部２２２に通知する。電源管理部２２２は、電源制御装置２０３を介して、第１および第２スイッチ２０９、２１０をＯＮさせて、入力装置２０４および表示装置２０５に電源を供給する（Ｓ２２）。この後、電源管理部２２２は、電源制御装置２０３Ｂ、Ｃを介して通常起動用ＬＥＤ２０６を点灯させる（Ｓ２３）。このようにして、通常起動状態となる（Ｓ２４）。
【００５３】
［電源ＯＦＦ時（または電源ＯＦＦコマンドが発行された場合）の動作］
コンピュータ２００Ａ、Ｂ、Ｃのうち、１台のコンピュータが通常起動状態で、他の
コンピュータがスタンバイ状態にある場合に、電源をＯＦＦする動作を説明する。ここでは、コンピュータ２００Ａが通常起動状態で、コンピュータＢ、Ｃがスタンバイ状態にある場合に、コンピュータ２００Ａの電源ＳＷがＯＦＦされた場合（または電源ＯＦＦコマンドが発行された場合）の動作を説明する。コンピュータ２００Ｂ、Ｃの電源ＳＷをＯＦＦさせた場合（または電源ＯＦＦコマンドが発行された場合）も同様な動作を行うのでここではその説明を省略する。
【００５４】
図９は、コンピュータ２００Ａが通常起動状態で、コンピュータＢ、Ｃがスタンバイ状態にある場合に、コンピュータ２００Ａの電源ＳＷがＯＦＦされた場合または電源ＯＦＦコマンドが発行された場合の動作を説明するためのフローチャートである。図１０は、コンピュータ２００Ａが通常起動状態で、コンピュータＢ、Ｃがスタンバイ状態にある場合に、コンピュータ２００Ａの電源ＳＷがＯＦＦされた場合または電源ＯＦＦコマンドが発行された場合の動作を説明するための説明図である。
【００５５】
図９において、コンピュータ２００Ａでは、通常起動状態にある場合に（Ｓ３１）、電源ＳＷがＯＦＦ（またはソフトウエア処理により電源ＯＦＦコマンドが発行）されると（Ｓ３２）、電源制御装置２０３は、電源ＳＷのＯＦＦを電源管理部２２２に通知する。電源管理部２０３は、コンピュータ２００Ｂ、Ｃに電源状態を問い合わせ、終了条件を判定する（Ｓ３３）。
【００５６】
通常起動状態のコンピュータがある場合には、電源管理部２２２は、電源制御装置２０３を介して、第１および第２スイッチ２０９、２１０をＯＦＦさせて、入力装置２０４および表示装置２０５への電源の供給を切断する（Ｓ３４）。そして、電源制御部２２２は、電源制御装置２０３を介して、通常起動用ＬＥＤ２０６を消灯させるとともに、スタンバイ用ＬＥＤ２０７を点灯させて（Ｓ３５、Ｓ３６）、スタンバイ状態となる（Ｓ３７）。
【００５７】
他方、通常起動状態のコンピュータがない場合には、電源管理部２２２は、特殊電源ＯＦＦ信号をコンピュータ２００Ｂ、Ｃに送信する（Ｓ４１）。そして、電源管理部２２２は、電源制御装置２０３を介して、電源装置２０８の電源ライン２３１からの電源の供給を停止させ（Ｓ４２）、また、通常起動用ＬＥＤを消灯させて（Ｓ４３）、電源ＯＦＦ状態となる（Ｓ４４）。
【００５８】
また、スタンバイ状態にある（Ｓ５１）にあるコンピュータ２００Ｂ、Ｃでは、コンピュータ２００Ａからの問い合わせに応答し（Ｓ５２）、ネットワーク１００を介して特殊電源ＯＦＦ信号が受信すると（Ｓ５３）、電源管理部２２２は、電源制御装置２０３を介して、電源ライン２３２からの電源の供給を停止させ（Ｓ５４）、また、スタンバイ用ＬＥＤ２０７を消灯させて（Ｓ５５）、電源ＯＦＦ状態となる（Ｓ５６）。
【００５９】
以上説明したように、本実施例によれば、ネットワークを介して、複数のコンピュータが相互に接続されて構築されるデータバックアップシステムにおいて、１つのコンピュータの共有データ領域のデータを、システムを構成する全コンピュータでバックアップしているので、サーバを使用することなく、安価でかつ高い信頼性を有するデータバックアップシステムを提供することができる。
【００６０】
［変形例］
上記実施例では、ディスク装置３００に、第１領域３０１、特定領域３０２、および第３領域３０３に割り当てているが、記憶手段を複数のディスク装置で構成し、第３領域３０３を第１領域３０１、第２領域３０２と物理的に別のディスク装置に割り当てることにしても良い。この場合、複数のディスク装置は、ホットスワップ可能に構成されるのが望ましい。このような構成の場合、例えば、図５のようにコンピュータ２００Ａが共有フォルダを公開している場合において、コンピュータ２００Ａの第３領域３０３Ａだけが故障した場合には、コンピュータ２００Ａは当該第３領域以外の領域（第１領域など）を使用してそのまま継続して処理を続行可能である。さらに、新たな共有フォルダの公開を担当するコンピュータ２００（例えばコンピュータ２００Ｃ）の共有フォルダを使って処理を継続できるという利点がある。
【産業上の利用可能性】
【００６１】
本発明に係るデータバックアップシステムは、サーバーを使用しないで低コストでデータバックアップを行う装置やシステムに運用する場合に有用である。
【図面の簡単な説明】
【００６２】
【図１】本発明の一実施例に係るデータバックアップシステムの構成を示す図である。
【図２】図１のコンピュータの構成を示すブロック図である。
【図３】各コンピュータの表示装置に表示される特定領域の一例を示す図である。
【図４】コンピュータが、ディスク装置の特定領域に対して、データの書き込み・読み込む動作の概略を説明するためのフローチャートである。
【図５】各コンピュータが、ディスク装置の特定領域に対して、データの書き込み・読み込む動作を説明するための模式図である。
【図６】コンピュータの電源状態の遷移を示す図である。
【図７】各コンピュータが電源ＯＦＦ状態にある場合に、１台のコンピュータのみの電源ＳＷをＯＮして、ＲＡＩＤシステムを起動させる動作を説明するためのフローチャートである。
【図８】各コンピュータが電源ＯＦＦ状態にある場合に、１台のコンピュータのみの電源ＳＷをＯＮして、ＲＡＩＤシステムを起動させる動作を説明するための説明図である。
【図９】コンピュータが通常起動状態で、他のコンピュータがスタンバイ状態にある場合に、当該コンピュータの電源ＳＷがＯＦＦされた場合（または電源ＯＦＦコマンドが発行された場合）の動作を説明するためのフローチャートである。
【図１０】コンピュータが通常起動状態で、他のコンピュータがスタンバイ状態にある場合に、当該コンピュータの電源ＳＷがＯＦＦされた場合（または電源ＯＦＦコマンドが発行された場合）の動作を説明するための説明図である。
【図１１】サーバ／クライアントシステムを利用したデータバックアップシステムの従来技術を示す図である（その１）。
【図１２】サーバ／クライアントシステムを利用したデータバックアップシステムの従来技術を示す図である（その２）。
【図１３】サーバ／クライアントシステムを利用したデータバックアップシステムの従来技術を示す図である（その３）。
【図１４】サーバ／クライアントシステムを利用したデータバックアップシステムの従来技術を示す図である（その４）。
【図１５】サーバ／クライアントシステムを利用したデータバックアップシステムの従来技術を示す図である（その５）。
【符号の説明】
【００６３】
１  データバックアップシステム
１００  ネットワーク
２００  コンピュータ
２０１  ＬＡＮコントローラ
２０２  制御部
２０３  電源制御装置
２０４  入力装置
２０５  表示装置
２０６  通常起動用ＬＥＤ
２０７  スタンバイ用ＬＥＤ
２０８  電源装置
２０９  第１スイッチ
２１０  第２スイッチ
２２１  データ管理部
２２２  電源管理部
２３１、２３２  電源ライン
３０１  第１領域
３０２  第２領域
３０３  第３領域
【図１】
2006106909.tif 000003
【図２】
2006106909.tif 000004
【図３】
2006106909.tif 000005
【図４】
2006106909.tif 000006
【図５】
2006106909.tif 000007
【図６】
2006106909.tif 000008
【図７】
2006106909.tif 000009
【図８】
2006106909.tif 000010
【図９】
2006106909.tif 000011
【図１０】
2006106909.tif 000012
【図１１】
2006106909.tif 000013
【図１２】
2006106909.tif 000014
【図１３】
2006106909.tif 000015
【図１４】
2006106909.tif 000016
【図１５】
2006106909.tif 000017